(57)【要約】      （修正有）【課題】玉切りの際に木材の長さを揃えるための支援をする簡易な指標装置を提供する。【解決手段】指標装置１は、所定の長さを有し、重機の運転者が長さの目安として用いるポール状の指標部１１と、指標部１１に一端に接続されると共に、グラップルに着脱自在に装着される装着部１２とを備える。指標部１１や装着部１２の材質は特に限定されず、例えば木製、金属製、ＦＲＰ等の樹脂製であってもよい。また、装着部１２は、グラップルとの接触部分１２１の少なくとも一部に、磁石を備えている。磁石は、例えばエポキシ系の接着剤等を用いてグラップルとの接触部分１２１に固着されている。よって、装着部１２は、磁性体である金属製のグラップルの所望の位置に着脱できる。【選択図】図２
0003200897.tif 000002
【実用新案登録請求の範囲】
【請求項１】
所定の長さを有する指標部と、
前記指標部と接続されると共に、木材切断手段を備える、重機のアタッチメントに着脱自在に装着される装着部と、
を備える指標装置。
【請求項２】
前記装着部は、磁石を備える
請求項１に記載の指標装置。
【請求項３】
前記装着部は、粘着テープ又は粘土を用いて前記重機のアタッチメントに装着される
請求項１に記載の指標装置。
【請求項４】
前記装着部と前記指標部とがクランプを形成する
請求項１に記載の指標装置。
【請求項５】
前記装着部は、前記重機のアタッチメントに設けられた被接着部と接着される
請求項１に記載の指標装置。
【請求項６】
前記指標部は、伸縮可能な構造である
請求項１から５のいずれか一項に記載の指標装置。
【請求項７】
前記指標部の一端が前記装着部と接続されると共に、前記指標部の他端は、目印となる着色が施され、又はマーカ部材を備える
請求項１から６のいずれか一項に記載の指標装置。
【考案の詳細な説明】
【技術分野】
【０００１】
本考案は、指標装置に関する。
【背景技術】
【０００２】
従来、長さ検出用無端状帯体を前後方向面に沿って周回作動自在に装着されてなる測長装置と、送材用無端状帯体を前後方向に沿って周回駆動可能に装着されてなる送材装置とを設けた樹幹プロセッサが提案されている（例えば、特許文献１）。このようなプロセッサは、樹幹を側方へ送りつつ長さを計測することができる。
【先行技術文献】
【特許文献】
【０００３】
【特許文献１】特開平８−８０１２８号公報
【考案の概要】
【考案が解決しようとする課題】
【０００４】
従来、玉切りを行う際に樹幹の寸法を揃えるため、長さを測定する技術が提案されている。建材用等の木材を造材する場合、寸法は精確である方が好ましいといえる。一方、例えば燃料用の木材を造材する場合、運搬車両に隙間なく積載するという観点では、長さがおおむね一致していることが好ましいが、いずれチップ上に砕かれる木材であるから建材の場合ほど厳密な測長手段は必要ない。また、曲がった樹幹等を扱う場合、プロセッサやハーベスタが備える樹幹を送る機能が働かないおそれもある。
【０００５】
本考案はこのような問題に鑑みてなされたものであり、玉切りの際に木材の長さを揃えるための支援をする簡易な手段を提供することを目的とする。
【課題を解決するための手段】
【０００６】
本考案に係る指標装置は、所定の長さを有する指標部と、指標部と接続されると共に、木材切断手段を備える、重機のアタッチメントに着脱自在に装着される装着部とを備える。
【０００７】
このようにすれば、重機の運転者は、アタッチメントに接続された指標装置の指標部と比較することで所定の長さを認識することができる。すなわち、指標部の長さに基づいて木材切断手段が切断する位置を決定することができ、切断された木材の長さをほぼ同一にすることができるようになる。よって、指標装置によれば、玉切りの際に木材の長さを揃えるための支援をする簡易な手段を提供することができるといえる。
【０００８】
また、装着部は、磁石を備えるようにしてもよいし、粘着テープ又は粘土を用いて重機のアタッチメントに装着されるようにしてもよい。また、装着部と指標部とがクランプを形成するようにしてもよいし、重機のアタッチメントに設けられた被接着部と接着されるようにしてもよい。具体的には、様々な構成により指標装置を着脱自在に装着することができる。
【０００９】
また、指標部は、伸縮可能な構造としてもよい。このようにすれば、指標部が示す所定の長さを変更することができるようになる。
【００１０】
また、指標部の一端が装着部と接続されると共に、指標部の他端は、目印となる着色が施され、又はマーカ部材を備えるようにしてもよい。このようにすれば、重機の運転者は
、指標部の端部を認識し易くなり、木材との位置合わせが容易になる。
【００１１】
なお、上述した各手段は、可能な限り組み合わせて採用することができる。
【考案の効果】
【００１２】
本考案によれば、玉切りの際に木材の長さを揃えるための支援をする簡易な手段を提供することができる。
【図面の簡単な説明】
【００１３】
【図１】実施形態に係る指標装置を備える重機の一例を示す斜視図である。
【図２】指標装置の一例を示す斜視図である。
【図３】グラップルが樹幹を把持する前の状態を示す斜視図である。
【図４】グラップルが樹幹を把持した状態を示す斜視図である。
【図５】チェーンソーが樹幹を切断した状態を示す斜視図である。
【図６】樹幹を切断するグラップルを、重機の正面から表した図である。
【図７】指標装置の装着部の変形例を示す斜視図である。
【図８】指標装置の装着部の変形例を示す斜視図である。
【図９】指標部の変形例を示す斜視図である。
【図１０】接続部とは反対側の、指標部の端部に着色を施す例を示す斜視図である。
【図１１】接続部とは反対側の、指標部の端部にマーカ部材を設ける例を示す斜視図である。
【考案を実施するための形態】
【００１４】
本考案に係る指標装置を備える重機の実施形態について、図面に基づいて説明する。なお、以下に示す構成は例示であり、本考案は実施形態の構成には限定されない。
【００１５】
＜重機の構成＞
図１は、本実施形態に係る指標装置を備える重機の一例を示す斜視図である。また、ポール状の指標装置１は、例えばパワーショベル（油圧ショベル）である重機２のアームの先端に備えられたアタッチメントに接続されている。重機２は、いわゆる林業機械であり、アタッチメントは、例えば樹幹等を掴むグラップル２１である。グラップル２１は、複数のグラップルアーム２１１を有し、例えば図示していない油圧シリンダによりグラップルアーム２１１の先端を開閉することができる。図１では、枝払いされた樹幹３をグラップルアーム２１１が把持している。また、グラップル２１は、木材切断手段であるチェーンソー２１２等を備えている。すなわち、グラップル２１は、いわゆるグラップルソーである。チェーンソー２１２は、所定の軸を中心に回動するように設けられ、グラップルアーム２１１が樹幹３を把持した状態において樹幹３を切断できる。なお、図１に示すグラップルアーム２１１は、樹幹３を把持する向きがほぼ決まっており、指標装置１は、ポール状の部分が樹幹３とほぼ平行になるように、グラップル２１に装着されている。また、指標装置１のポール状の部分は、グラップル２１を基準としてチェーンソー２１２が接続された位置とは反対側に伸びるように装着されている。
【００１６】
＜指標装置の構成＞
図２は、指標装置１の一例を示す斜視図である。指標装置１は、所定の長さを有し、重機２の運転者が長さの目安として用いるポール状の指標部１１と、指標部１１に一端に接続されると共に、グラップル２１に着脱自在に装着される装着部１２とを備える。指標部１１や装着部１２の材質は特に限定されず、例えば木製、金属製、ＦＲＰ（Fiber Reinforced Plastics：繊維強化プラスチック）等の樹脂製であってもよい。また、装着部１２
は、図２において網掛けにした、グラップル２１との接触部分１２１の少なくとも一部に、磁石を備えている。磁石は、例えばエポキシ系の接着剤等を用いてグラップル２１との
接触部分１２１に固着されている。よって、装着部１２は、磁性体である金属製のグラップル２１の所望の位置に着脱できる。
【００１７】
＜使用方法＞
図３は、グラップル２１が樹幹３を把持する前の状態を示す斜視図である。グラップル２１には、本実施形態に係る指標装置１が装着されている。重機２の運転者は、グラップルアーム２１１が樹幹３を把持する位置を決める際に、指標部１１の端部と樹幹３の端部とを位置合わせする。
【００１８】
図４は、グラップル２１が樹幹３を把持した状態を示す斜視図である。図４では、指標部１１の端部の位置と樹幹３の端部の位置とがほぼ一致するように、グラップルアーム２１１が樹幹３を把持している。
【００１９】
図５は、チェーンソー２１２が樹幹３を切断した状態を示す斜視図である。図５では、重機２の運転者の操作に応じて、チェーンソー２１２が駆動すると共に一点鎖線の矢印で示す方向に回動し、樹幹３を切断している。このとき、グラップル２１に装着された指標部１１の端部と樹幹３の端部とは位置合わせされているため、切断された木材の長さは指標部１１の端部からチェーンソー２１２による切断箇所までの長さとなる。すなわち、位置合わせと切断とを繰り返すことにより、形成される木材の長さをほぼ同一に揃えることができる。
【００２０】
図６は、樹幹３を切断するグラップル２１を、重機２の正面から見た正面図である。グラップル２１に装着された指標部１１の端部と樹幹３の端部とは、重機２の運転者によって位置合わせされている。また、切断される木材の長さは、指標部１１の端部からチェーンソー２１２による切断箇所までの長さＬになる。
【００２１】
長さＬは、例えば２ｍ等、任意の長さである。一般的な建築用の木材の場合、長さを３〜４ｍ程度とすることが多いが、運搬車両への積み込み等における木材の取り回しの観点では、長さを２ｍ程度とした方が都合がよい。また、木材の長さを２ｍ程度とすれば、一般的な４トントラックの荷台に、横方向（トラックの幅方向）に揃えて積載できる。また、木材の長さを１．６ｍ程度とすれば、一般的な２〜３トントラックの荷台に、横方向に揃えて積載できる。
【００２２】
図示した例では、指標装置１の指標部１１は、グラップル２１を基準としてチェーンソー２１２が接続された位置とは反対側に伸びている。この場合、切断後にグラップルアーム２１１が把持している木材を、所定の長さに揃えることができる。そして、切断後に所定の長さの木材をグラップルアーム２１１が把持していれば、重機２の運転者はそのまま運搬車両の荷台に木材を積み込むことができる。
【００２３】
例えば燃料等の資源用の木材を玉切りする場合、運搬車両に隙間なく積載するためには、長さがおおむね一致していることが好ましいが、建材用等の場合ほど厳密な測長手段は必要ない。上述のように、実施形態に係る指標装置１は、玉切りの際に木材の長さを揃えるための支援をする簡易な手段となる。また、曲がった樹幹等を扱う場合、プロセッサやハーベスタが備える樹幹送り機能が働かないこともあるが、指標装置１とグラップル２１の組み合わせを用いれば、長さの概ね揃った木材を切り出すことができる。
【００２４】
なお、磁石によって装着される場合、作業の過程において、指標装置１の指標部１１が例えば重機や他の木材等と接触するとグラップル２１から外れることがあるが、これにより、重機、他の木材、又は指標部１１自体を破損等させることが抑制される。また、指標部１１の材質は、可撓性があり形状の復元する樹脂等であってもよい。
【００２５】
＜変形例＞
以上、本考案の好適な実施形態を説明したが、上述した実施形態及び変形例には、本考案の趣旨を逸脱しない範囲において適宜変更を加えることができる。指標装置１の指標部１１を、グラップル２１を基準としてチェーンソー２１２が接続された側に伸びるように装着してもよい。この場合、グラップルアーム２１１から切り落とされる木材を、所定の長さに揃えることができる。
【００２６】
また、図２に示した装着部１２は、磁石以外の接続手段を備えるようにしてもよい。例えば、図２において網掛けにした部分は、粘着テープや粘土等を用いてグラップル２１と接続するようにしてもよい。
【００２７】
図７は、指標装置１の装着部１２の変形例を示す斜視図である。図７の例では、指標装置１はいわゆるＣ型クランプ形状であり、ボルト（雄ねじの切られた箇所）を締めることで装着部１２がグラップル２１の一部を挟むようになっている。また、指標装置１は、ボルトの延長上に指標部１１を有している。このような磁石を有しない指標装置１であっても、グラップル２１に着脱できる。
【００２８】
図８は、指標装置１の装着部１２の変形例を示す斜視図である。図８の例では、グラップルに被接着部２１３が設けられ、装着部１２は被接着部２１３と係合する形状になっている。具体的には、図８の例では、レール状の被接着部２１３が、例えばグラップルの正面に、ボルトで固定されている。そして、装着部１２をスライドして、被接着部２１３に嵌合させられるようになっている。この場合も、被接着部２１３及び装着部１２の材質は特に限定されない。また、被接着部２１３を設ける場合も図８に示した形状や材質に限らず、例えば被接着部２１３と装着部１２とに面ファスナーを設け、着脱できるようにしてもよい。
【００２９】
図９は、指標部１１の変形例を示す斜視図である。図９の指標部１１は、テレスコピック構造であり、いわゆるロッドアンテナのように伸縮自在になっている。このような指標部１１を採用すれば、チェーンソーの切断箇所から指標装置１の端部までの長さを変更することができる。なお、このような指標部１１は、図２、図７、及び図８に示した指標装置１等、様々な構成の指標装置１に適用することができる。
【００３０】
図１０は、接続部１２とは反対側の、指標部１１の端部を着色する例を示す斜視図である。図１０の例では、指標部１１の端から所定範囲が、着色部１１１になっている。着色部１１１は、例えば赤や黄色等のように山林において目立つ色で塗装されている。このようにすれば、重機２の運転者が指標部１１の端部を視認し易くなり、樹幹３の端部と指標部１１の端部との位置合わせが容易になる。また、端部だけでなく、所定の間隔ごと、又は所定の位置に着色部１１１を設けるようにしてもよい。このようにすれば、重機２の運転者は、樹幹３の端部を、所望の長さを示す着色部１１１と揃えることにより、様々な長さの木材を形成することができるようになる。
【００３１】
図１１は、接続部１２とは反対側の、指標部１１の端部にマーカ部材１３を設ける例を示す斜視図である。マーカ部材１３は、いわゆる吹き流しのような目印であってもよいし、ＬＥＤライト等のような発光部材（図示せず）であってもよい。指標部１１の端部にマーカ部材１３を設けることでも、重機２の運転者は、樹幹３の端部と指標部１１の端部との位置合わせが容易になる。なお、図１０に示した着色部１１１及び図１１に示したマーカ部材１３は、それぞれ、図２、図７、図８、及び図９に示した指標装置１等、様々な構成の指標装置１と組み合わせることができる。
【符号の説明】
【００３２】
１  指標装置
１１  指標部
１１１  着色部
１２  装着部
１３  マーカ部材
２  重機
２１  グラップル
２１１  グラップルアーム
２１２  チェーンソー
２１３  被接着部
３  樹幹
【図１】
0003200897.tif 000003
【図２】
0003200897.tif 000004
【図３】
0003200897.tif 000005
【図４】
0003200897.tif 000006
【図５】
0003200897.tif 000007
【図６】
0003200897.tif 000008
【図７】
0003200897.tif 000009
【図８】
0003200897.tif 000010
【図９】
0003200897.tif 000011
【図１０】
0003200897.tif 000012
【図１１】
0003200897.tif 000013